(57)【要約】  【課題】効率的に注げる注ぎ口を形成可能とした上で、迅速、かつ不潔感を与えずに開栓する。  【解決手段】注ぎ口２を缶蓋１１の中心線Ｃ１に沿う横長状とし、プルタブ３を注ぎ口２の長手方向と交差するように備える。  【選択図】図２
2005067638.tif 000002
【特許請求の範囲】
【請求項１】
プルタブの操作によって缶蓋に注ぎ口が形成される飲料用缶において、
注ぎ口が缶蓋の中心線に沿う横長状であり、かつ注ぎ口の左右端部が、注ぎ口の長手方向と交差するように備えられたプルタブの左右端部よりも外側に位置し、前記プルタブの一回の開栓動作によって注ぎ口が形成されるようにしていることを特徴とする飲料用缶。
【請求項２】
注ぎ口の中央にプルタブを装着したことを特徴とする請求項１に記載の飲料用缶である。
【請求項３】
注ぎ口の長手方向に沿う中心線が、缶蓋の中心線上に位置していることを特徴とする請求項１または請求項２に記載の飲料用缶。
【発明の詳細な説明】
【技術分野】
【０００１】
本発明は、酒類、果汁、清涼飲料水等の飲料用缶に関し、詳しくは、効率的に注げる注ぎ口を形成できる飲料用缶に関する。
【背景技術】
【０００２】
従来、プルタブの操作によって注ぎ口が形成される飲料用缶において、内容物を効率的に注げるようにした構成として、注ぎ口（第１の開口部）と空気取り入れ口（第２の開口部）を、それぞれの把手（第１の把手および第２の把手）によって開栓可能なようにしている。（例えば、特許文献１参照）
【特許文献１】特開平８‐５３１３０号（〔００１２〕および〔図２〕、〔図４〕、〔図５〕参照）
【発明の開示】
【発明が解決しようとする課題】
【０００３】
しかしながら、特許文献１に記載のものは、注ぎ口と空気取り入れ口を形成する際に、第１の把手と第２の把手をそれぞれ用いて個別に開栓する動作を要するため、決して開栓操作しやすいとはいえないプルタブを２度も操作するのは面倒であると思われる。
また、前記それぞれの把手は、注ぎ口および空気取り入れ口の長手方向に沿い、かつその直上に装着されていることから、開栓動作においては、人差し指を把手に引っ掛け、親指または手のひらを注ぎ口または空気取り入れ口に接触させた状態で開栓するため、注ぎ口または空気取り入れ口に接触する親指が人によっては不潔と感じる例も少なくない。
【０００４】
そこで本発明は、効率的に注げる注ぎ口を形成可能とした上で、迅速、かつ不潔感を与えずに開栓することを課題とし、この課題を解決した飲料用缶の提供を目的とする。
【課題を解決するための手段】
【０００５】
前記目的を解決するために本発明は、下記の技術的手段を採用した。
その技術的手段は、プルタブの操作によって缶蓋に注ぎ口が形成される飲料用缶において、
注ぎ口が缶蓋の中心線に沿う横長状であり、かつ注ぎ口の左右端部が、注ぎ口の長手方向と交差するように備えられたプルタブの左右端部よりも外側に位置し、前記プルタブの一回の開栓動作によって注ぎ口が形成されるようにしていることを特徴とする飲料用缶である。（請求項１）
また、注ぎ口の中央にプルタブを装着したことを特徴とする飲料用缶である。（請求項２）
また、注ぎ口の長手方向に沿う中心線が、缶蓋の中心線上に位置していることを特徴とする飲料用缶である。（請求項３）
【発明の効果】
【０００６】
本発明によれば、注ぎ口が缶蓋の中心線に沿う横長状であるので、その一方端側を注ぎ口とし、他方端側を空気取り入れ口とすることができる。
さらに、プルタブが注ぎ口の長手方向と交差しているので、開栓動作時において親指や手のひらが注ぎ口に接触しないので、他人に不潔感を与えることなく開栓することができる。
しかも、プルタブの左右端部の外側に注ぎ口が形成されるので、注ぐ場合や注ぎ口から直接飲む場合でもプルタブが邪魔になることは無い。
その上、前記プルタブの一回の開栓動作によって注ぎ口を形成するようにしているので、通常の飲料缶と同様に開栓することができるので面倒がない。
【０００７】
そして、請求項２の発明によれば、注ぎ口の中央にプルタブを装着したので、プルタブの両側に形成される注ぎ口または空気取り入れ口が同じ大きさとなり、いずれの口から注いでも同じ量を注ぐことができる。
さらに、向かい合わせで注ぎ合うときに、缶の方向を変えなくても注ぐことができる。
そして、請求項３の発明によれば、注ぎ口の長手方向に沿う中心線を、缶蓋の中心線上に位置させたので、缶蓋上において最も幅広である部位に注ぎ口が形成されることになって、注ぎ口の大きさ設定の自由度を広くすることができるし、注ぐときに注ぎやすいく、直接飲む場合にも飲みやすい。
【発明を実施するための最良の形態】
【０００８】
本願発明の飲料用缶は、アルミ缶、スチール缶いずれのタイプのものでも実施可能である。
また、本願発明における飲料用缶のプルタブは、現在使用されているプルタブと同様に、人差し指等で上方へ引いて注ぎ口を開口し、その後、プルタブを元に戻す構造のものを使用する。
注ぎ口の大きさは、飲料用缶のサイズや内容物によって任意に設定する。
【実施例】
【０００９】
以下、本発明にかかる飲料用缶の実施例を図１ないし図６に基づいて説明する。
飲料用缶１は、基本的には通常のものと同様の形状を呈し、缶蓋１１に注ぎ口２とプルタブ３を備えている。
符号１２は、プルタブ３を上方に引き上げるときに指を掛けやすくするための凹部である。
【００１０】
注ぎ口２は、缶蓋１１の中心線Ｃ１上に、注ぎ口２の中心線Ｃ２を沿わせた略長円形のものであり、開栓前においては、注ぎ口２の外形に沿わせて形成した切り込み部１３によって形成された閉栓部２Ａとなっている。
注ぎ口２は、長手方向の中央縁部２１，２２を内側に凹ませた円弧にして、中央を幅狭とし左右を幅広としている。
【００１１】
プルタブ３は、前記中心線Ｃ２と直交する缶蓋１１の中心線Ｃ３上に、プルタブの長手方向中心線Ｃ４を沿わせて装着されている。
プルタブ３は、前記注ぎ口２の直上に位置し、かつ長手側に沿う横長状の押し当て板部３１と、前記中心線Ｃ３に沿うプルリング部３２とからなる一体成形物であり、注ぎ口２における図面上手前側の中央縁部２２付近にカシメにより缶蓋１１に装着されている。
押し当て板部３１は、前記切り込み部１２の内側に、略切り込み外形に略沿う平面形状とし、長手方向の長さを、注ぎ２口面積を確保可能な長さ、かつ注ぎ口２を形成可能な長さとして形成されている。
プルリング部３２は、従来から存在するものと同等の形状のものである。
【００１２】
このようにした飲料用缶１の開栓動作は、通常用いられている周知の飲料用缶の開栓動作と同様であり、プルリング部３２に指を掛けて上方に引き上げると、てこの原理によって押し当て板部３１が閉栓部２Ａに対して押し下げる力を作用させ、この力によって缶蓋１１から切り込み部１３に沿って切り剥がされて注ぎ口２が形成される。（図３および図５参照）
そして、プルリング部を３２を元に戻すと押し当て板部３１のみがほぼ元の位置に戻り、その左右に注ぎ口２が独立状に形成される。（図６参照）  
【産業上の利用可能性】
【００１３】
本願発明の飲料用缶は、たとえば、各種オイルやフルード等の液体用の杆としても利用可能である。
【図面の簡単な説明】
【００１４】
【図１】本発明に係る飲料用缶を示す。
【図２】図１の平面図。
【図３】開蓋状態の平面図。
【図４】図１の要部断面図。
【図５】開蓋状態の要部断面図。
【図６】プルタブを元に戻した状態の平面図。
【符号の説明】
【００１５】
１：飲料用缶
２：注ぎ口
３：プルタブ
１１：缶蓋
１２：切り込み部
３１：押し当て板部
３２：プルリング
２Ａ：閉栓部
Ｃ１：中心線
Ｃ２：中心線
Ｃ３：中心線
Ｃ４：中心線
【図１】
2005067638.tif 000003
【図２】
2005067638.tif 000004
【図３】
2005067638.tif 000005
【図４】
2005067638.tif 000006
【図５】
2005067638.tif 000007
【図６】
2005067638.tif 000008